(57)【特許請求の範囲】
【請求項１】
番組および番組情報を受信する複数の番組受信手段と、各々の番組受信手段おいて受信された各々の番組情報に基づいて、各々の番組受信手段における番組受信に必要な番組受信情報および番組表を構成するのに必要な番組関連情報を管理する各々の番組情報管理手段と、前記各々の番組情報管理手段から取得した番組関連情報に基づいて番組表を生成し管理する番組表管理手段とを備え、
前記各々の番組情報管理手段は、多段に接続され、前段の番組情報管理手段から入力された番組関連情報に当該番組情報管理手段で取得した番組関連情報を追加して後段の番組情報管理手段または前記番組表管理手段に出力するように構成したことを特徴とする放送受信装置。
【請求項２】
請求項１記載の放送受信装置において、前記各々の番組情報管理手段に入出力する番組関連情報は、共通フォーマット化されていると共に、番組と該番組に係る番組情報管理手段との対応情報を含むことを特徴とする放送受信装置。
【請求項３】
請求項１乃至請求項２のいずれか１つの請求項記載の放送受信装置において、前記番組表管理手段は、番組識別子が指定されると管理している番組表から指定された番組識別子に相応する番組情報管理手段の番組受信情報を指定し、前記相応した番組情報管理手段は、指定された番組受信情報に基づいて相応する番組受信手段を制御して番組を出力させることを特徴とする放送受信装置。
【請求項４】
請求項１乃至請求項３のいずれか１つの請求項記載の放送受信装置において、番組の受信予約または録画予約が可能であることを特徴とする放送受信装置。
【発明の詳細な説明】
【０００１】
【発明の属する技術分野】
本発明は、放送受信装置に係わり、特に、複数の放送メディアからの受信が可能な放送受信装置において、番組の選択を容易に行うことのできる放送受信装置に関する。
【０００２】
【従来の技術】
従来、デジタルＣＳ放送等では、電子番組表によって番組の選択が可能となっているが、ＣＳと地上波、ＢＳといった異なった放送メディアによる番組を受信する場合は、放送メディア毎に受信装置を使用者が操作して番組を選択する必要がある。これを解決するものとして、特開平８−２７５０７７号公報には、ＡＶシステムに複数の番組情報を結合する結合手段を設けることにより解決することが示されている。
【０００３】
【発明が解決しようとする課題】
しかしながら、上記公報記載の結合手段を用いる方法では、結合対象となる放送メディアの数が増えるに従って、結合手段には全ての放送メディアを受信する機器に係わる情報を必要とし、そのため、新規の放送メディア機器を追加するような場合は、結合手段にそれに対応させるために仕組みを追加する必要がある。
【０００４】
本発明の目的は、このような上記の問題点に鑑みて、複数の放送メディアによる放送の受信が可能な放送受信装置において、使用者は複数の放送メディア毎に区別して番組を選択することが無いと共に、複数の放送メディアの増減にも柔軟に対処することのできる番組表作成機能を有する放送受信装置を提供することにある。
【０００５】
【課題を解決するための手段】
本発明、上記の課題を解決するために、次のような手段を提供するものである。
【０００６】
番組および番組情報を受信する複数の番組受信手段と、各々の番組受信手段おいて受信された各々の番組情報に基づいて、各々の番組受信手段における番組受信に必要な番組受信情報および番組表を構成するのに必要な番組関連情報を管理する各々の番組情報管理手段と、前記各々の番組情報管理手段から取得した番組関連情報に基づいて番組表を生成し管理する番組表管理手段とを備え、前記各々の番組情報管理手段は、多段に接続され、前段の番組情報管理手段から入力された番組関連情報に当該番組情報管理手段で取得した番組関連情報を追加して後段の番組情報管理手段または前記番組表管理手段に出力するように構成したことを特徴とする。
【０００８】
第２の手段は、第１の手段ないし第２の手段のいずれか１つの手段において、前記各々の番組情報管理手段に入出力する番組関連情報は、共通フォーマット化されていると共に、番組と該番組に係る番組情報管理手段との対応情報を含むことを特徴とする。
【０００９】
第３の手段は、第１の手段乃至第３の手段のいずれか１つの手段において、前記番組関連情報は、番組識別子が指定されると管理している番組表から指定された番組識別子に相応する番組情報管理手段の番組受信情報を指定し、前記相応した番組情報管理手段は、指定された番組受信情報に基づいて相応する番組受信手段を制御して番組を出力させることを特徴とする。
【００１０】
第４の手段は、第１の手段乃至第４の手段のいずれか１つの手段において、番組の受信予約または録画予約が可能であることを特徴とする。
【００１１】
【発明の実施の形態】
以下に、本発明の一実施形態を図１乃至図５に基づいて説明する。
【００１２】
図１は、本実施形態に係る放送受信装置の構成を示すブロック図である。
【００１３】
同図において、１は放送を受信し指定された番組を後述する出力制御手段７に出力する番組受信手段、２は番組受信手段１と異なる放送メディアによる放送を受信し指定された番組を出力制御手段７に出力する番組受信手段、３は番組受信手段１から取得した番組情報に基づいて番組受信情報および番組関連情報を生成し管理すると共に、前記番組関連情報を次段の番組情報管理手段４に出力する番組情報管理手段、４は番組受信手段２から取得した番組情報に基づいて番組受信情報および番組関連情報を生成し管理すると共に、前記番組関連情報を前段から入力された番組関連情報に追加して出力する番組情報管理手段、５は番組情報管理手段４から出力された番組関連情報に基づいて番組表を生成して管理する番組表管理手段、６は出力制御手段７から出力された番組を録画する録画手段、７は後述する入力手段からの指示により番組表管理手段５に管理されている番組表や指定された番組を図示していないモニタや録画手段６に出力させる出力制御手段、８は入力操作により希望する番組を出力させたり、番組表を出力させる赤外線リモコン等からなる入力手段である。
【００１４】
ここで各番組情報管理手段３，４に入出力する各番組関連情報は共通フォーマット化されており、そのため、異なる複数の放送メディアから放送を受信する場合であっても、取得した番組関連情報を他の番組情報管理手段の番組関連情報に追加処理するだけでよく、番組表生成が容易となる。
【００１５】
図２は、各番組情報管理手段において管理される番組関連情報のフォーマットの一例を示す図である。
【００１６】
この番組関連情報は、同図に示すように、各番組情報管理手段毎の識別子、番組識別子、番組名、放送局名、放送時間、番組内容等からなる共通フォーマットで形成される。ここで番組情報管理手段識別子によって、各番組に関する番組情報がどの番組情報管理手段によって管理されているかを判別することができる。
【００１７】
次に、この放送受信装置の動作について説明する。番組受信手段１は、ある放送メディアから番組と番組情報とが共に放送されている放送を受信すると、番組情報は番組情報管理手段３へ出力され、番組は後述するように指示されると出力制御手段７へ出力される。番組情報管理手段３に入力された番組情報は、番組受信に必要な番組受信情報と番組表を構成するのに必要な番組関連情報とに分けて管理され、さらに前記番組関連情報は後段の番組情報管理手段４に出力される。番組受信手段２は、例えば、インターネット等を使った、番組受信手段１における放送メディアとは異なる放送メディアから番組と番組情報とが共に放送されている放送を受信すると、番組情報は番組情報管理手段４へ出力され、番組は指示されて出力制御手段７へ出力される。番組情報管理手段４に入力された番組情報は、番組受信に必要な番組受信情報と番組表を構成するのに必要な番組関連情報とに分けて管理され、さらに、番組情報管理手段３から入力された番組関連情報にこの番組情報管理手段４で取得した番組関連情報を追加して番組表管理手段５に出力する。番組表管理手段５は、各番組情報管理手段３，４から取得した番組関連情報に基づいて番組表を生成し、管理する。
【００１８】
使用者がどの番組を受信するかの制御は、入力手段８からの入力操作により、番組表管理手段５に管理されている番組表を出力制御手段７に出力し、モニタ等に出力表示する。さらに使用者は表示された番組表から所望の番組識別子を指示すると、番組表管理手段５の番組表からその番組識別子に相応する番組情報管理手段３または４に管理されている番組受信情報が選択され、それに基づいて番組受信手段１または２から指定された番組が出力制御手段７に出力され、モニタ等にＡＶ表示される。なお、上記の説明では、番組表を表示させてその中から番組番号を指定する場合について説明したが、当然、番組表を表示させることなく、入力手段８から直ちに希望する番組識別子を指定して番組をＡＶ表示されることもできる。
【００１９】
また、入力手段８からの指示により録画要求があった場合は、出力制御手段７から番組が録画手段６に出力され、録画処理が行われる。
【００２０】
また、本実施形態の発明によれば、入力手段から指定することにより、複数の放送メディアから使用者の希望する番組を受信予約したり、録画予約することも可能である。
【００２１】
さらに、本実施形態では、放送メディアが２種類で、番組情報管理手段３，４が２つの場合について説明したが、放送メディアが３種類以上の場合は、図３に示すように、各々の放送メディアに対応する番組情報管理手段を３つ以上設け、それらを縦列的に接続して構成することができる。
【００２２】
図４は、図３に示す各番組情報管理手段、例えば、番組情報管理手段４における番組情報管理処理の処理手順を示すフローチャートである。
【００２３】
ステップ１で、前段の番組情報管理手段３から番組関連情報を受け取る。ステップ２では、番組情報管理手段４は番組受信手段２から取得した番組情報に基づいて番組関連情報を、先に受け取っている番組情報管理手段３の番組関連情報に追加する。ステップ３では、追加された番組関連情報を順次後段の番組情報管理手段Ｎに出力する。最終段の番組情報管理手段Ｎは、追加された全ての番組関連情報を番組情報管理手段５に出力する。
【００２４】
このように、本実施形態の発明によれば、各番組情報管理手段の各番組関連情報を共通フォーマット化しているので、各番組情報管理手段にステップ１，２の処理を行う機能を持たせるだけで、システム内の全ての番組受信手段から取得した番組関連情報を１つにまとめることができる。そのため番組情報管理手段の増減が容易であり、放送メディア数の多少に係わらず、容易に番組情報管理手段を構成することができ、システム変更に柔軟に対処することができる。
【００２５】
図５は、本実施形態に係る放送受信装置における番組指定から番組受信に至るまでの処理手順を示すフローチャートである。
【００２６】
ステップ１１では、提示された番組表を見てまたは直接、所望の番組を選択するために入力手段８からの入力操作により番組識別子を指定する。ステップ１２では、番組表管理手段５は管理している番組表から番組識別子に対応する番組情報管理手段３または４を検索する。ステップ１３では、検索の結果、選択された番組情報管理手段、例えば、番組情報管理手段３に番組受信要求を送る。ステップ１４では、選択された番組情報管理手段３は要求のあった番組が受信できるように番組受信手段１を制御する。ステップ１５では番組受信手段１は番組を受信し、番組を出力制御手段７に出力する。ステップ１６では出力制御手段７はモニタ等に番組を出力し、使用者は希望の番組が視聴可能となる。
【００２７】
【発明の効果】
本願請求項１に記載の発明によれば、複数の放送メディアに対して１つの番組表に基づいた番組選局が可能となり、また、放送メディアの増減に応じて多段接続された番組表管理手段を増減すればよく、容易に複数の放送メディアに対応する番組表を作成することができ、システムの変更に柔軟に対処することができる。また、前述のように放送メディアの増減に応じて多段接続された番組表管理手段を増減すればよいため、システムの変更に柔軟に対処することができる。
【００２９】
本願請求項２に記載の発明によれば、各番組関連情報を共通フォーマット化したので、異なる複数の放送メディアから放送を受信する場合であっても、取得した番組関連情報を他の番組情報管理手段で取得した番組関連情報に容易に追加処理することができ、番組表生成が容易となる。
【００３０】
本願請求項３に記載の発明によれば、容易に複数の放送メディアからの番組受信が可能となる。
【００３１】
本願請求項４に記載の発明によれば、複数の放送メディアにより受信される場合であっても、使用者の希望する番組の受信予約または録画予約を容易に行うことができる。
【図面の簡単な説明】
【図１】本発明の一実施形態に係る放送受信装置の構成を示すブロック図である。
【図２】図１に示す番組情報管理手段において管理される番組関連情報のフォーマットの構成を示す図である。
【図３】本実施形態に係る放送受信装置において、放送メディアが３以上ある場合の、番組情報管理手段の構成を示すブロックである。
【図４】図３に示す各番組情報管理手段の番組情報管理処理の処理手順を示すフローチャートである。
【図５】本実施形態に係る放送受信装置における番組指定から番組受信に至るまでの処理手順を示すフローチャートである。
【符号の説明】
１，２  番組受信手段
３，４，Ｎ  番組情報管理手段
５  番組表管理手段
６  録画手段
７  出力制御手段
８  入力手段
【図１】
0003668664.tif 000002
【図２】
0003668664.tif 000003
【図３】
0003668664.tif 000004
【図４】
0003668664.tif 000005
【図５】
0003668664.tif 000006